(57)【要約】【課題】検温対象者の自由な運動を拘束することなく体温を一定時間間隔に計測しこれを記録する持続的に装着可能で再利用可能な体温記録計を提供する。【課題手段】  検温対象者の体温を計測し当該計測した温度を電圧値に変換する温度センサ３１と、記録媒体３３を有し温度センサが出力する前記電圧値を所定のサンプリング周期において温度値に変換して記録媒体へ記録する制御手段３２と、前記温度センサと前記制御手段を作動させるための電池３５と、これらを収納する筐体を覆い当該筐体が外気に晒されることを防ぐパッド部材２と、パッド部材２で覆われた筐体の検温面が検温対象者の検温部と接する状態で検温部に貼り付けるための貼付部材４と、を備え、前記パッド部材は銀イオンを含有する。【選択図】図１
0003129039.tif 000002
【実用新案登録請求の範囲】
【請求項１】
検温対象者の体温を計測すると共に当該計測した温度を電圧値に変換する温度センサと、
記録媒体を有し前記温度センサが出力する前記電圧値を所定のサンプリング周期において温度値に変換して前記記録媒体へ記録する制御手段と、
前記温度センサと前記制御手段を作動させるための電池と、
前記温度センサ、前記制御手段及び前記電池を収納する筐体と、
前記筐体を覆い当該筐体が外気に晒されることを防ぐパッド部材と、
前記パッド部材で覆われた前記筐体の検温面が検温対象者の検温部と接する状態で前記検温部に貼り付けるための貼付部材と、を備え、
前記パッド部材には銀イオンが含まれていることを特徴とする体温記録計。
【請求項２】
前記貼付部材と前記パッド部材の間には、前記パッド部材を覆う通気性シートが配置されていることを特徴とする請求項１に記載の体温記録計。
【請求項３】
前記パッド部材は、水分を吸収する乾燥剤を含有することを特徴とする請求項２に記載の体温記録計。
【請求項４】
前記制御手段は、前記記録媒体内に記録された温度値を外部装置に送出するインターフェース手段を備えたことを特徴とする請求項１に記載の体温記録計。
【請求項５】
前記制御手段は、前記外部装置から前記インターフェース手段を介して、前記サンプリング周期を設定するための指示信号を入力することを特徴とする請求項４に記載の体温記録計。
【請求項６】
前記インターフェース手段は、ＵＳＢインターフェースである請求項４又は５に記載の体温記録計。
【請求項７】
前記温度センサの温度検出部は、前記筐体内の検温面中心部に配置されている請求項１に記載の体温記録計。
【請求項８】
前記貼付部材は、防菌処理された粘着フィルムである請求項１に記載の体温記録計。
【請求項９】
前記温度センサ、前記制御手段及び前記電池を収納する筐体は、前記パッド部材及び前記貼付部材から取り外されて再使用される請求項１に記載の体温記録計。
【考案の詳細な説明】
【技術分野】
【０００１】
本考案は、検温対象の温度を一定時間間隔に計測しこれを記録する温度記録計に関し、特に、体温記録計として使用され人体の腋の下に貼付され再利用可能な体温記録計に関する。
【背景技術】
【０００２】
従来の体温計の多くは、水銀柱や熱電対等の温度検出手段を使用し、検温部を検温対象者の腋の下や口腔内の舌下に入れて使用されるため、体温測定が終わるまで検温対象者の自由な活動を制限することとなる。そして、検温対象者の体温を定期的（一定時間毎）に計測する必要がある場合には、その都度体温測定を行い記録用紙などに筆記記録しておく必要があった。
【０００３】
このため、電子式の温度検出手段により検出された温度を電気信号に変換し、電気コードを介して体温表示部を備えた本体に送信し、体温表示部に測定値を表示する電子体温計が提案されている（例えば、特許文献１参照）。
【特許文献１】特開平７−２７６２５号公報
【考案の開示】
【考案が解決しようとする課題】
【０００４】
このような従来の電子体温計にあっては、例えば本体内にメモリを備えることにより検温対象者の体温の変化を、時間経過と共に長期に亘って記録することが可能であるが、温度検出部と本体とが電気コードで結ばれる構成のため、体温測定の度に検温対象者は電気コードにより拘束されるので自由な活動ができない。
【０００５】
また、検温対象者の検温部への温度検出部の装着性に問題があり、検温対象者にとって、温度検出部の装着が煩わしかったり、汗をかいた状態で長時間装着し続けると腋の下等の検温部がかぶれたりする等の問題があった。
【０００６】
本考案は、上記従来の問題点に鑑みてなされたものであって、検温対象者の自由な運動を拘束することなく体温を一定時間間隔に計測しこれを記録するものであって、装着に違和感を生じさせることなく長時間に亘って装着しても、腋の下等の検温部にかぶれが生じたり腋臭等の発生を有効に防止する体温記録計を提供することを目的としている。
【０００７】
本考案の他の目的は、構成及び取扱いが簡単で、その温度測定記録部が再利用可能な体温記録計を提供することにある。
【課題を解決するための手段】
【０００８】
このため、本願は、検温対象者の体温を計測すると共に当該計測した温度を電圧値に変換する温度センサと、記録媒体を有し前記温度センサが出力する前記電圧値を所定のサンプリング周期において温度値に変換して前記記録媒体へ記録する制御手段と、前記温度センサと前記制御手段を作動させるための電池と、前記温度センサ、前記制御手段及び前記電池を収納する筐体と、前記筐体を覆い当該筐体が外気に晒されることを防ぐパッド部材と、前記パッド部材で覆われた前記筐体の検温面が検温対象者の検温部と接する状態で前記検温部に貼り付けるための貼付部材と、を備え、前記パッド部材には銀イオンが含まれていることを特徴とする体温記録計を提供するものである。
【０００９】
これにより、本考案に係る体温記録計は、検温対象者の自由な動きを束縛することなく体温を一定時間毎に正確に測定し記録することを可能にしたのである。また、前記パッド部材に含まれる銀イオンの作用効果により、腋の下等の検温部において細菌の繁殖を防止し、皮膚のかぶれや腋臭等の悪臭の発生を同時に防止したのである。
【００１０】
また、本体温記録計の前記貼付部材と前記パッド部材の間には、前記パッド部材を覆う通気性シートが配置されると共に、前記パッド部材は、水分を吸収する乾燥剤を含有することにより、皮膚のかぶれ防止効果や悪臭発生の防止効果をさらに向上させることができるのである。
【００１１】
そして、本体温記録計の前記制御手段は、前記記録媒体内に記録された温度値を外部装置に送出するインターフェース手段を備える。そして、前記温度記録手段は、前記外部装置から前記インターフェース手段を介して、任意なサンプリング周期を設定するための指示信号を入力するのである。ここで、前記インターフェース手段は、信号をシリアルビットで伝送するＵＳＢインターフェース仕様としている。
【００１２】
ところで、前記温度センサの温度検出部は、前記筐体の検温面の内側中心部に配置されている。また、前記貼付部材は、防菌処理された粘着フィルムである。そして、前記温度センサ、前記温度記録手段及び前記電池を収納する筐体は、前記パッド部材及び前記貼付部材から取り外されて再使用されるのである。
【考案の効果】
【００１３】
以上説明したように、本考案の体温記録計によれば、温度の測定を行う部分と測定された温度の記録を行う部分とを一つの小サイズの筐体に纏めたので、体温計として使用された時には、測定中に検温対象者の行動を束縛することがない。
【００１４】
また、測定後は、検温対象者から取り外して、蓄積的に記録された温度を外部装置（例えば、ＵＳＢインターフェースを備えるパーソナルコンピュータ）にて読み取り、検温対象者の体温変化を時間経過と共に長期に亘って記録可能としたのである。
【００１５】
さらに、パッド部材に含まれる銀イオンの作用効果により、腋の下等の検温部において細菌の繁殖を防止し、皮膚のかぶれや腋臭等の悪臭の発生を同時に防止できたのである。
【考案を実施するための最良の形態】
【００１６】
以下、本考案の体温記録計の実施形態の詳細について、図面を参照しつつ説明する。
【００１７】
図１は、本考案の第１の実施形態に係る体温記録計の全体構成を示す構成図であり、図１（ａ）は、本体温記録計の測定面側を示し、図１（ｂ）は、本体温記録計を横方向から見た側面図を示す。
【００１８】
図１において、本実施形態の体温記録計は、検温対象者の皮膚表面に貼り付けられる貼付部材等の貼付部材４と、当該貼付部材４の中央部に貼られたパッド部材（パッド部材）２と、パッド部材２の中央に貼られ、検温対象者の温度を測定し記録する温度記録チップ３（温度記録手段）とを備える。そして、必要に応じて、貼付部材４とパッド部材２の間には、パッド部材２を覆う通気シート１を配置する。
【００１９】
貼付部材４は、布、紙、合成樹脂、シリコン樹脂、ゴム等を素材として構成され、その上面には人体に無害な粘着性の物質が塗布されており、検温対象者の人体の皮膚表面に貼り付けられた時に、この皮膚表面に付着する貼付剤が施されている。これにより、温度記録チップ３の皮膚からの脱落を防止すると共にパッド部材２及び通気シート１を検温対象者の皮膚に密着させることができる。
【００２０】
また、パッド部材２は、検温対象者の汗を吸収することができるものとし、さらに、臭気を除去すると共に殺菌効果を持たせるために銀イオンと、汗等の水分を吸収する乾燥剤（例えば、シリカゲル）が含有されている。貼付部材４にも銀イオンを含有させておくことも可能である。このように、パッド部材２は、銀イオンを含有するので、その作用効果により腋の下等の検温部において細菌の繁殖を防止し、皮膚のかぶれや腋臭等の悪臭の発生を同時に防止したのである。
【００２１】
また、本体温記録計の貼付部材４とパッド部材２の間には、当該パッド部材２を覆う通気性シート１が配置されるので、パッド部材２に含有された水分を吸収する乾燥剤と相俟って、皮膚のかぶれ防止効果や悪臭発生の防止効果をさらに向上させることができたのである。
【００２２】
パッド部材２は、温度記録チップ３を着脱可能に貼り付けることを可能にすると共に、温度記録チップ３が外気（周囲温度）に晒されることによって体温の測定値に誤差が生じることを防止するために断熱作用を有する。そして、その上面には、貼付部材４と同様に粘着性物質が塗布されている。この粘着性物質により、検温対象者の人体の皮膚表面に粘性を持って付着させると共に、温度記録チップ３を貼り付けることを可能にしている。
【００２３】
温度記録手段３は、検温対象者の温度の測定を行う温度センサ（図２の符合３１）と測定された温度の記録処理を行う温度記録部を構成する制御部（図２の符合３２）と、記録媒体（図２の符合３３）と、を備え、電池（図２の符合３５）を含めて全体が筐体の内部に収納されている。
【００２４】
なお、温度記録チップ３は、前述のとおり、パッド部材２に着脱可能であるが、パッド部材２から引き剥がした時に、温度記録チップ３の筐体表面に前記の粘着性の物質を付着させない素材特性を有する金属を使用する。
【００２５】
温度記録チップ３が記録した検温対象者の体温は、別の外部装置（図示せず）によって読み出すことが可能である。そして、温度記録チップ３は、別個に用意された専用ＵＳＢ接続ケーブルを介し、パーソナルコンピュータ等の外部装置に接続することで、計測条件や温度記録のサンプリング周期等の初期設定を受けることが可能である。温度記録チップ３は、計測条件等が設定されることにより、再利用が可能となる。
【００２６】
温度記録チップ３の筐体を含めたサイズ及び重量は、検温対象者の腋の下等にはさんだ時に違和感や装着感の無いことが好ましく、例えば、直径が２０〔ｍｍ〕以下、重さを５．０〔ｇ〕以下とする。
【００２７】
貼付部材４は、その粘着性の物質から簡単に剥がすことを可能にするために、布、紙、合成樹脂、等を素材として構成され、本体温記録計の使用前に貼付部材４等の表面全体を覆うことで、前記の粘着性の物質が塗布された部分が徒に人体等に付着することを防止する。本体温記録計の使用に際しては、貼付部材４は貼付部材４等の全体表面から引き剥がされる。
【００２８】
図２は、本考案に係る体温記録計の主要部である温度記録手段の主要部の構成を示す構成図である。図２において、本体温記録手段（温度記録チップ）３の主要部は、温度を計測し、電圧値に変換する温度センサ３１と、前記電圧値を所定の周期で温度値に戻して記録媒体への記録等を行う制御部３２と、温度値データを記録する記録媒体（メモリ）３３と、電源となる電池３５とを備える。そして、これらは、一つの円形の熱伝導性に優れた金属（銅又はアルミニウム等）の筐体内に収容される。
【００２９】
温度センサ３１は、検温対象者の体温を計測し、この測定温度に対応する電圧値を出力する。温度センサ３１は、例えば、定電流が流される抵抗器の両端に電圧降下として生ずる電圧差を前記温度に対応する電圧値として出力する構成とすることが可能である。或いは、温度センサ３１は、熱伝対を使用する構成とすることも可能である。そして、温度センサ３１の温度検出先端部（図示せず）は、筐体内の検温面中心部に配置される。
【００３０】
制御部３２は、温度センサ３１から出力される電圧値を、所定のサンプリング周期（一定時間間隔）で、対応する温度値に変換し、当該変換された数値データを記録媒体３３に記録する。ここで、前記所定のサンプリング周期は、例えば、周期１乃至数秒での連続周期の間に、１分、２分、３分、４分、５分、１時間乃至数時間等の測定間隔を開けることが可能である。
【００３１】
また、制御部３２は、インターフェース部３４からの読み出し指令を受けて、記録媒体３３に記録されている温度値データを読み出して、インターフェース部３４に出力する。
【００３２】
そのため、インターフェース部３４は、専用のデータ読取装置又はパーソナルコンピュータ（外部装置）と通信するためのケーブル（例えば、ＵＳＢインターフェースケーブル）を接続するコネクタ（図示は省略）を備え、温度の計測が完了し、本温度記録手段（温度記録チップ）３が検温対象者等から取り出された後に、前記ケーブルの他端が外部のデータ読取装置と接続され、その後、当該データ読取装置からの読み出し指令が制御部３２に伝達され、これによりインターフェース部３４は、制御部３２から引き渡される温度値データを前記のデータ読取装置に送出する。
【００３３】
この温度数値の外部データ読取装置への出力が完了すると、当該外部データ読取装置は、制御部３２に対して、温度測定条件の初期設定を行うことで、本温度記録チップは再利用可能となる。
【００３４】
本考案の温度記録計を再利用する際には、電池３５を交換することも可能ではあるが、本温度記録チップの電力消費量は僅少であるので、５〜１０年程度の長期使用が可能であり、電池３５の交換は通常不要である。
【００３５】
図３は、本考案の第２の実施形態に係る体温記録計の全体構成を示す構成図であり、図３（ａ）は、本体温温度計の外皮面側を、図３（ｂ）は、温度測定面側を、そして、図３（ｃ）は、本体温記録計を横方向から見た側面図を、それぞれ示す。
【００３６】
この第２の実施形態の体温記録計も、上記した第１の実施形態のものと同様に、検温対象者の皮膚表面に貼り付けられる貼付部材等の貼付部材４と、当該貼付部材４の中央部に貼られたパッド部材（パッド部材）２と、パッド部材２の中央に貼られ、検温対象者の温度を測定し記録する温度記録チップ３（温度記録手段）とを備える。そして、必要に応じて、貼付部材４とパッド部材２の間には、パッド部材２を覆う通気シート１を配置する。各手段及び部材については、第１の実施の形態と同様なので、ここでの重複記載は省略する。
【００３７】
以上詳しく説明したように、本考案に係る体温記録計は、検温対象者の体温を計測すると共に当該計測した温度を電圧値に変換する温度センサ３１と、記録媒体３３を有し温度センサ３１が出力する電圧値を所定のサンプリング周期において温度値に変換して記録媒体３３へ記録する制御手段３２と、温度センサ３１と温度記録手段３２を作動させるための電池と、前記温度センサ、前記制御手段及び前記電池を収納する筐体と、前記筐体を覆い当該筐体が外気に晒されることを防ぐパッド部材と、前記パッド部材で覆われた前記筐体の検温面が前記検温対象者の検温部と接する状態で前記検温部に貼り付けるための貼付部材とを備え、前記パッド部材には銀イオンが含まれていることを特徴とする。
【００３８】
これにより、本体温記録計は、検温対象者の自由な動きを束縛することなく体温を一定時間毎に正確に測定し記録することを可能にしたのである。また、前記パッド部材に含まれる銀イオンの作用効果により、腋の下等の検温部において細菌の繁殖を防止し、皮膚のかぶれや腋臭等の悪臭の発生を同時に防止したのである。
【００３９】
また、本体温記録計のパッド部材は、さらに水分を吸収する乾燥剤を含有することにより、皮膚のかぶれ防止や悪臭の発生防止の効果をさらに向上させることができたのである。
【産業上の利用可能性】
【００４０】
本考案は、検温対象の温度を一定時間間隔に計測しこれを記録する温度記録計に関し、特に体温記録計として使用され、人体の腋の下に貼付され再利用可能な体温記録計に関するものであり、産業上の利用可能性を有する。
【図面の簡単な説明】
【００４１】
【図１】本考案の第１の実施形態に係る体温記録計の全体構成を示す構成図であり、（ａ）部は、本体温記録計の測定面側を、（ｂ）部は、本体温記録計を横方向から見た側面図を示す。
【図２】本考案に係る体温記録計の温度記録手段（温度記録チップ）の主要部の構成図を示す。
【図３】本考案の第２の実施形態に係る体温記録計の全体構成を示す構成図であり、（ａ）部は、本体温温度計の外皮面側を、（ｂ）部は、温度測定面側を、そして、（ｃ）部は、本体温記録計を横方向から見た側面図を、それぞれ示す。
【符号の説明】
【００４２】
１：通気シート
２：パッド部材
３：温度記録手段（温度記録チップ）
４：貼付部材
３１：温度センサ
３２：制御手段（制御部）
３３：記録媒体
３４：インターフェース手段
３５：電池
【図１】
0003129039.tif 000003
【図２】
0003129039.tif 000004
【図３】
0003129039.tif 000005